(57)【要約】      （修正有）【課題】バネを使用することで柔軟性をもつ軸と適度な重さを持つ打痕部を有するボールペン付マッサージ器を提供する。【解決手段】ボールペンのインクホルダー８と、前記インクホルダー８を内側に固定する軸３と、前記軸３の上端部にネジ止めされたペン先キャップ２と、前記軸３の下端部にネジ止めされたバネ７と、前記バネ７の外周を覆ったグリップ６と、前記バネ７の下側に固定したエンドキャップ４と、前記ペン先キャップ２に被せる打痕部５を有するキャップからなるボールペン付マッサージ器。【選択図】図５
0003183107.tif 000002
【実用新案登録請求の範囲】
【請求項１】
ボールペンのインクホルダーと、前記インクホルダーを内側に固定する軸と、前記軸の上端部にネジ止めされたペン先キャップと、前記軸の下端部にネジ止めされたバネと、前記バネの外周を覆ったグリップと、前記バネの下側に固定したエンドキャップと、前記ペン先キャップに被せる打痕部を有するキャップからなるボールペン付マッサージ器
【請求項２】
前記グリップは熱可塑性エラストマーからなる請求項１記載のボールペン付マッサージ器
【請求項３】
前記打痕部はエラストマーからなる請求項1記載のボールペン付マッサージ器
【考案の詳細な説明】
【技術分野】
【０００１】
本考案はボールペン付きマッサージ器に関するものである。
【背景技術】
【０００２】
従来のボールペンでは打痕して身体の凝りをほぐすマッサージ器として使用するためにはしなりがなく、また適度な重みがないためにまた不適であった。
【考案の概要】
【考案が解決しようとする課題】
【０００３】
しかしながら、従来のボールペンでは打痕して身体の凝りをほぐすマッサージ器として使用するためにはしなりがなく、また適度な重みがないためにまた不適であった。
本発明はこのような従来の問題を解決しようとするものでバネを使用することで柔軟性をもつ軸と適度な重さを持つ打痕部を有するボールペン付マッサージ器を提供することを目的とするものである。
【課題を解決するための手段】
【０００４】
本発明はボールペンのインクホルダーと、前記インクホルダーを内側に固定する軸と、前記軸の上端部にネジ止めされたペン先キャップと、前記軸の下端部にネジ止めされたバネと、前記バネの外周を覆ったグリップと、前記バネの下側に固定したエンドキャップと、前記ペン先キャップに被せる打痕部を有するキャップからなるボールペン付マッサージ器
また前記グリップは熱可塑性エラストマーからなるボールペン付マッサージ器
また前記打痕部はエラストマーからなるボールペン付マッサージ器
【考案の効果】
【０００５】
本考案は、ボールペンの軸にバネを使用し、端部に適度な重さを持たせることによってマッサージ器として身体の部位を叩くことで凝りをほぐすことができるようになった。
【図面の簡単な説明】
【０００６】
【図１】ボールペン付きマッサージ器側面図
【図２】ボールペン付きマッサージ器上面図
【図３】ボールペン付きマッサージ器下面図
【図４】ボールペン付きマッサージ器のキャップを外した状態の側面図
【図５】図１のＡ−Ａ断面図
【図６】キャップ１の上面図および断面図
【図７】軸３の上面図および断面図
【図８】ペン先キャップ２の上面図および断面図
【図９】エンドキャップ４の上面図および断面図
【図１０】エラストマー５の上面図および断面図
【図１１】グリップ６の上面図および断面図
【図１２】バネ７の上面図および断面図
【考案を実施するための形態】
【０００７】
本考案は、シャフトがしなり、ヘッドが一定の重さをもつマッサージ器である。且つボールペンやタッチペン、レーザーポインターなどの機能を有する。この本考案について実施例として図面に基づき説明する。
【実施例１】
【０００８】
図１は本考案の全体を表した正面図である。グリップ６の下端を持ち打痕部５で肩や身体をたたくことで凝りをほぐすための器具である。
【０００９】
図２は図１の上面図である。
【００１０】
図３は図１の下面図である。
【００１１】
図４は図１打痕部５を保持するキャップ１を外した状態の正面図である。
【００１２】
実施例として図５で説明する。図５は図２のＡ−Ａ断面図である。打痕部５を保持するキャップ１を軸３に取り付けた状態を示している。キャップ１と軸３はキャップ側ネジ止め構造９になっており、着脱可能である。軸３はバネ７とバネ側ネジ止め１０で固定されており、且つ軸３とペン先キャップ２はペン先キャップ側ネジ止め構造１１で着脱可能な構造となっている。インクホルダー８を収納した後にペン先キャップ２でインクホルダー８を固定する構造となっている。インクホルダー８の先端はペン先キャップ２の先端孔より露出し、キャップ１を外した状態でボールペンとして使用が可能である。軸３の下側からバネ７の外周はチューブ状のグリップ６で覆われており握りやすく滑りにくい構造になっている。グリップ６はエラストマーで作られており、バネ７に振動を加えても追従する素材となっている。バネ７の下端にはエンドキャップ４が尻栓側ネジ止め構造１２によって取り付けられ、バネ７が抜けない構造になっている。エンドキャップ４の上側もチューブ状のグリップ６で覆われている。エンドキャップ４には後ろ側ネジ止め構造１３を有しており、キャップ１を外してボールペンとして使用する場合にはエンドキャップ４に取り付けてキャップ１を保持しておくことが可能である。
【００１３】
図６はキャップ１の上面図と上面図のＢ−Ｂ断面図である。上端にはトップホルダー２１を設け、ワッペンなど（図示していない）を接着できる構造になっている。また外周には、打痕部５を保持する打痕部ホルダー２２を設けてある構造になっている。下端外周には軸３と嵌め合わせるための受け溝２３を有する。
【００１４】
図７は軸３の上面図と上面図のＤ−Ｄ断面図である。孔３１に図５に示したインク８を収納することが出来る。インク８を収納した後にインク８を固定するための図５に示したペン先キャップ２をネジ止めするための受け溝１１を有する。またキャップ１と嵌め合わせるための受け溝９と、バネ７を固定するための受け溝１０を有する。
【００１５】
図８はペン先キャップ２の上面図と上面図のＣ−Ｃ断面図である。図５に示したインク８をホールドし、インク８の先端を露出させるための孔４１を有する。軸３と嵌め合せるための受け溝４２を有している。
【００１６】
図９はエンドキャップ４の上面図と上面図のＥ−Ｅ断面図である。軽量化を図るための孔５１を有する。図５に示したバネ７と嵌め合せるための受け溝５２を有し、図５に示したキャップ１を保持するための受け溝５３を有する。
【００１７】
ボールペン付マッサージ器の使い方として、グリップ７を握ってヘッド５の部分で肩や腰、膝など身体の部位を叩くことで凝りをほぐす。グリップ7が適度にしなり叩きやすい機能を持っている。
【符号の説明】
【００１８】
１    キャップ      
２    ペン先キャップ
３    軸
４    エンドキャップ
５    打痕部
６    グリップ
７    バネ
８    インクホルダー
９    キャップ側ネジ止め構造
１０  バネ側ネジ止め構造
１１  ペン先キャップ側ネジ止め構造
１２  尻栓側ネジ止め構造
１３  後ろ側ネジ止め構造
２１  トップホルダー
２２  打痕部ホルダー
２３  受け溝
３１  孔
４１  孔
４２  受け溝
５１  孔
【図１】
0003183107.tif 000003
【図２】
0003183107.tif 000004
【図３】
0003183107.tif 000005
【図４】
0003183107.tif 000006
【図５】
0003183107.tif 000007
【図６】
0003183107.tif 000008
【図７】
0003183107.tif 000009
【図８】
0003183107.tif 000010
【図９】
0003183107.tif 000011
【図１０】
0003183107.tif 000012
【図１１】
0003183107.tif 000013
【図１２】
0003183107.tif 000014